(57)【特許請求の範囲】
【請求項１】
ＲＣ構造の下弦材と当該下弦材に斜めに接続された鋼部材からなる斜材とを備えた鋼・ＲＣ複合トラスの橋桁構造であって、前記斜材の端部に当該斜材の外周に裾広がりとなる傘状に形成された水切り部材が取り付けられ、当該水切り部材の下端は前記下弦材の上面より離れていることを特徴とする鋼・ＲＣ複合トラスの橋桁構造。
【請求項２】
ＲＣ構造の下弦材と当該下弦材に斜めに接続された鋼部材からなる斜材とを備えた鋼・ＲＣ複合トラスの橋桁構造であって、前記斜材の端部に螺旋状に巻き付けられ、かつ下端部が前記下弦材と斜材との接合部から離れる方向に延長された紐状の水切り部材が取り付けられてなることを特徴とする鋼・ＲＣ複合トラスの橋桁構造。
【請求項３】
ＲＣ構造の下弦材と当該下弦材に斜めに接続された鋼部材からなる斜材とを備えた鋼・ＲＣ複合トラスの橋桁構造であって、前記斜材の端部に水切り部材が取り付けられ、当該水切り部材は前記斜材が挿通する筒状部材の外周に螺旋状または羽状の水切り片を多数突設して形成されてなることを特徴とする鋼・ＲＣ複合トラスの橋桁構造。
【請求項４】
斜材の端部の外周に水膨潤性のシール材が取り付けられ、かつ下弦材のコンクリート内に埋設されてなることを特徴とする請求項１〜３のいずれかに記載の鋼・ＲＣ複合トラスの橋桁構造。
【請求項５】
下弦材の斜材との接合部に水勾配が設けられてなることを特徴とする請求項１〜４のいずれかに記載の鋼・ＲＣ複合トラスの橋桁構造。
【請求項６】
下弦材の斜材との接合部に斜材の周方向に連続する溝状部が設けられ、当該溝状部にシール材が設けられてなることを特徴とする請求項１〜５のいずれかに記載の鋼・ＲＣ複合トラスの橋桁構造。
【請求項７】
下弦材の斜材との接合部に弾性塗料が塗着してあることを特徴とする請求項１〜６のいずれかに記載の鋼・ＲＣ複合トラスの橋桁構造
【発明の詳細な説明】
【０００１】
【発明の属する技術分野】
本願発明は、上弦材と下弦材がＲＣ部材で、斜材が鋼管などの鋼材でそれぞれ形成された鋼・ＲＣ複合トラスの橋桁構造に関するものである。
【０００２】
【従来の技術】
例えば、トラス桁の上弦材と下弦材をＲＣ部材で、斜材を鋼管などの鋼材でそれぞれ形成する場合、一般に斜材の端部は上弦材と下弦材のコンクリート内に所定長さ埋設した状態で接続されている。
【０００３】
【発明が解決しようとする課題】
しかし、上弦材および下弦材と斜材との接合部には、鋼管周囲のコンクリートの長期変形および大きな荷重が繰り返し作用することにより、上弦材および下弦材側のコンクリートと斜材周囲との間に隙間が生ずることがあり、このため特に下弦材側の接続部においては、雨水や結露水が斜材の表面を伝わって接続部の隙間からコンクリート内部に浸入して斜材の端部を腐食させてしまうという課題があった。
【０００４】
一般に、この種の構造のトラスばりの場合、コンクリートと鋼管との接合部は最も重要な部位であり、この部分に腐食が生じることは構造部材として致命的であり、大きな課題になっていた。
【０００５】
本願発明は以上の課題を解決するためになされたもので、下弦材と斜材との接合部における斜材の腐食を防止することのできる鋼・ＲＣ複合トラスの橋桁構造を提供することを目的とする。
【０００６】
【課題を解決するための手段】
請求項１記載の鋼・ＲＣ複合トラスの橋桁構造は、ＲＣ構造の下弦材と当該下弦材に斜めに接続された鋼部材からなる斜材とを備えた鋼・ＲＣ複合トラスの橋桁構造であって、前記斜材の端部に当該斜材の外周に裾広がりとなる傘状に形成された水切り部材が取り付けられ、当該水切り部材の下端は前記下弦材の上面より離れていることを特徴とするものである。
【０００７】
この場合の水切り部材は、例えば金属板または合成樹脂板などから形成することができ、また鋼部材の周方向に複数に分割し、互いをネジ部材やピン部材、あるいはクリップ、さらには溶接などで連結できるように形成してもよい。
【０００８】
講求項２記載の鋼・ＲＣ複合トラスの橋桁構造は、ＲＣ構造の下弦材と当該下弦材に斜めに接続された鋼部材からなる斜材とを備えた鋼・ＲＣ複合トラスの橋桁構造であって、前記斜材の端部に螺せん状に巻き付けられ、かつ下端部が前記下弦材と斜材との接合部から離れる方向に延長された紐状の水切り部材が取り付けられてなることを特徴とするものである。
この場合の紐状の水切り部材としては、プラスチック等の合成樹脂材またはゴム等から形成されたものでよい。
【０００９】
請求項３記載の鋼・ＲＣ複合トラスの橋桁構造は、ＲＣ構造の下弦材と当該下弦材に斜めに接続された鋼部材からなる斜材とを備えた鋼・ＲＣ複合トラスの橋桁構造であって、前記斜材の端部に水切り部材が取り付けられ、当該水切り部材は前記斜材が挿通する筒状部材の外周に螺旋状または羽状の水切り片を多数突設して形成されてなることを特徴とするものである。
【００１０】
この場合の水切り部材は、例えば筒状部材の外周に水切り片を多数突設し、鋼部材を挿通させて取り付けられるようにしたもの、あるいはシート状または板状の片側面に水切り片を多数突設し、鋼部材の外周に巻き付けて取り付けられるようにしたもの等が考えられる。
【００１１】
また、水切り片の形状としては、例えば単にフィン状（羽状）をなすもの、あるいは螺せん状をなすもの等が考えられ、さらにこれらの水切り部材は金属板や合成樹脂板などから容易に形成することができる。また、これらの接合部構造は、単独で用いることも複数の構造を組み合わせて用いることもできる。
【００１２】
講求項４記載の鋼・ＲＣ複合トラスの橋桁構造は、請求項１〜３のいずれかに記載の鋼・ＲＣ複合トラスの橋桁構造において、斜材の端部の外周に水膨潤性のシール材が取り付けられ、かつ下弦材のコンクリート内に埋設されてなることを特徴とするものである。
この場合の水膨潤性のシール材は、鋼部材の接合部側端部の外周に一段に巻き付けて取り付けるだけでよいが、鋼部材の軸方向に所定間隔おきに複数段に取り付けてもよく、さらに螺せん状に巻き付けて取り付けてもよい。
【００１３】
講求項５記載の鋼・ＲＣ複合トラスの橋桁構造は、請求項１〜４のいずれかに記載の鋼・ＲＣ複合トラスの橋桁構造において、下弦材の斜材との接合部に水勾配が設けられてなることを特徴とするものである。
【００１４】
講求項６記載の鋼・ＲＣ複合トラスの橋桁構造は、請求項１〜５のいずれかに記載の鋼・ＲＣ複合トラスの橋桁構造において、下弦材の斜材との接合部に斜材の周方向に連続する溝状部が設けられ、当該溝状部にシール材が設けられてなることを特徴とするものである。
【００１５】
この場合、溝状部を設けないで鋼部材の周囲にシール材を巻き付けて直接取り付けることもできるが、溝状部を設けて取り付ける方が鋼部材周囲の隙間を確実に塞ぐことができる。
また、この場合のシール材としては、耐候性にすぐれ、止水性能を有するものであれば特に限定されないが、付着性能に優れた弾性材料からなるものを用いるのが望ましい。
【００１６】
講求項７記載の鋼・ＲＣ複合トラスの橋桁構造は、請求項１〜６のいずれかに記載の鋼・ＲＣ複合トラスの橋桁構造において、下弦材の斜材との接合部に弾性塗料が塗着してあることを特徴とするものである。
【００１７】
この場合の弾性塗料としては、耐候性にすぐれ、止水性能を有するものであれば特に限定されないが、例えばウレタン系の塗料などのように伸び性能に優れた弾性塗料を用いるのが望ましい。また、弾性塗料は必要に応じて複数層に重ねて塗着することにより止水性能を著しく高めることができる。
【００１８】
【発明の実施の形態】
図１（ａ）〜（ｃ）は、鋼・ＲＣ複合トラスの橋桁構造を示し、下弦材１はＲＣ部材またはＳＲＣ部材から形成され、斜材２は鋼管から形成されている。
【００１９】
各斜材２の下端部はそれぞれ、下弦材１のコンクリート内に所定長さ埋め込まれ、かつ鉄筋や鋼製ボックス等からなる定着部材３によってコンクリート内に定着することにより下弦材１に剛接合されている。
【００２０】
また、下弦材１の上面には、斜材２が接続されている中央部から下弦材１の両側に下り勾配となる水勾配１ａが形成されている。なお、各斜材２には下弦材１のコンクリート内に埋設された先端部分を除いて防錆塗料が塗着されている。
【００２１】
このように形成されていることで、各斜材２の表面を伝わって下弦材１の上に流れ落ちた雨水や結露水は、下弦材１の上を流れて速やかに排水される。したがって、斜材２の周囲にコンクリートのきれつなどによる多少の隙間が生じていても、雨水や結露水は接合部に到達して斜材２の周囲にできた隙間から下弦材１のコンクリート内に浸入して斜材２を腐食させる等の問題は発生しない。
【００２２】
図２（ａ），（ｂ）は、下弦材１と斜材２との接合部を示し、下弦材１側の表面に斜材２の外周に沿って連続する溝状部１ｂが形成され、かつこの溝状部１ｂにシール材４が斜材２の周方向に連続して充填されている。この場合のシール材４としては、例えば水膨潤性のシール材が用いられている。
【００２３】
このように形成されていることで、各斜材２の表面を伝わって下弦材１の上に流れ落ちた雨水や結露水は、下弦材１の上を流れて速やかに排水される。したがって、雨水や結露水が接合部に集中したとしても、雨水や結露水が斜材２の周囲に形成された隙間から下弦材１のコンクリート内に浸入して斜材２を腐食させる等の問題は発生しない。
【００２４】
なお図２（ｃ）は、接続部の止水効果をより確実なものとすべくなされたものであり、斜材２の表面に耐腐食性塗料が塗着され、またシール材４として水膨潤性シール材またはブチル系シール材が用いられ、かつこれらのシール材４は一定の圧をかけた状態で取り付けられている。
【００２５】
図３（ａ），（ｂ）は、下弦材１と斜材２との接合部を示し、下弦材１と斜材２との接合部の表面に弾性塗料５が下弦材１および斜材２の双方に連続して塗着されている。この場合の弾性塗料５には伸び性能にきわめて優れた塗料、例えばウレタン系の塗料が用いられている。
【００２６】
このように形成されていることで、各斜材２の表面を伝わって下弦材１の上に流れ落ちた雨水や結露水は、下弦材１の上を流れて速やかに排水される。
【００２７】
図４（ａ），（ｂ）は、下弦材１と斜材２下端部との接合部を示し、斜材２下端部の外周に水膨潤性のシール材６が斜材２の周方向にリング状に連続して取り付けられ、かつシール材６は斜材２の端部とともに下弦材１のコンクリート内に埋設されている。
【００２８】
この場合のシール材６は紐状に形成され、かつ斜材２の軸方向に所定間隔おきに一段ないしそれ以上に取り付けられている。また、シール材６は例えば図４（ａ）に図示するように下弦材１の材軸とほぼ平行をなすように、または図４（ｂ）に図示するように斜材２の材軸とほぼ直角をなすように取り付けられている。
【００２９】
このように形成されていることで、各斜材２と周囲コンクリートとの隙間は水膨張性のシール材６によって完全に塞がれているので、各斜材２の表面を伝わって下弦材１の上に流れ落ちた雨水や結露水は、斜材２周囲の隙間から下弦材１のコンクリート内に浸入することなく、下弦材１の上を流れて速やかに排水されるため、斜材２の下端部が腐食する心配は全くない。
【００３０】
図５（ａ），（ｂ）と図６（ａ），（ｂ）は共に、下弦材１と斜材２との接合部を示し、斜材２の外周に傘状に形成された水切り部材７が取り付けられている。水切り部材７は金属板または合成樹脂板などから裾広がりとなるような傘状に形成されている。
【００３１】
また、図５（ａ），（ｂ）の場合、水切り部材７の下弦材１側と斜材２側の両端部は下弦材１の上面と斜材２の外周に密着されているとともに完全にシールされ、また場合により図５（ｂ）に図示するように接合部の止水性をより高めるべく、水切り部材７の内側に樹脂やモルタル等の充填材８が充填されている。なお、この場合の水切り部材７には充填用の充填口７ａが設けられている。
【００３２】
また、図６（ａ），（ｂ）の場合、水切り部材７は下弦材１の上面より離して取り付けられ、斜材２側の端部のみが斜材２の外周に密着されているとともに完全にシールされている。また、水切り部材７の下弦材１側の端部は、例えば図６（ａ）に図示するように斜材２の材軸とほぼ直角をなすように形成されているか、あるいは図６（ｂ）に図示するように下弦材１の材軸とほぼ平行をなすように形成されている。さらに場合により図６（ｂ）に図示するように曲面状に形成されている。
【００３３】
このように形成されていることで、各斜材２の表面を流れ落ちる雨水や結露水は、水切り部材７の上を流れ、接合部から離れた位置に流れ落ちて速やかに排水される。したがって、斜材２の周囲にコンクリートのきれつ等による多少の隙間が生じていても、雨水や結露水は接合部に集中して斜材２の周囲にできた隙間から下弦材１のコンクリート内に浸入して斜材２を腐食させる等の問題は発生しない。
【００３４】
図７（ａ），（ｂ）は、下弦材１と斜材２との接合部を示し、斜材２の外周に紐状の水切り部材９が螺せん状に巻き付けられ、かつその下端側の端部９ａが接合部から離れた方向に向かって斜め下方に延長されている。
【００３５】
図８（ａ），（ｂ），（ｃ）は、下弦材１と斜材２との接合部を示し、斜材２を挿通し得る円筒形に形成され、かつ外表面に多数の水切り片１０ａが突設された水切り部材１０が斜材２の下端部に取り付けられている。
【００３６】
この場合の水切り部材１０は金属製または合成樹脂製として形成され、また場合により斜材２の外周に巻き付けて取り付けられるように形成されている。
【００３７】
なお、図６，７および図８で説明した鋼・ＲＣ部材の接合部構造は、斜材２の表面を流れる雨水や結露水を誘導して、接続部に流れ込む雨水や結露水の量を可能な限り減らすことが目的であり、したがって単独で用いられることは稀で、例えば図１〜図５の例で説明した鋼・ＲＣ部材の接合部構造と組み合わせて用いられるものである。
【００３８】
【発明の効果】
本願発明は、以上説明したとおりであり、ＲＣ部材の鋼部材との接合部に水勾配が設けられていることで、鋼部材の表面を伝わってＲＣ部材の上に流れ落ちた雨水や結露水がＲＣ部材の上を流れて速やかに排水されるようになっているので、たとえ鋼部材の周囲にコンクリートのきれつなどによる多少の隙間が生じていても、この隙間から雨水や結露水がコンクリート内に浸入して鋼部材を腐食させる等の構造部材として致命傷となるような問題を未然に防止することができる。
【図面の簡単な説明】
【図１】  （ａ）は鋼・ＲＣ複合トラス構造の橋桁の側面図、（ｂ）、(ｃ)はＲＣ構造の下弦材と鋼部材からなる斜材との接合部を示し、(ｂ)は（ａ）におけるイーイ線断面図、（ｃ）は（ａ）における口部拡大断面図である。
【図２】  ＲＣ構造の下弦材と鋼部材からなる斜材との接合部を示し、（ａ），（ｃ）は図１（ａ）におけるハ部拡大断面図、（ｂ）は図２（ａ）におけるニーニ線断面図である、
【図３】  ＲＣ構造の下弦材と鋼部材からなる斜材との接合部を示し、（ａ），（ｂ）は図１（ａ）におけるハ部拡大断面図である。
【図４】  ＲＣ構造の下弦材と鋼部材からなる斜材との接合部を示し、（ａ），（ｂ）は図１（ａ）におけるハ部拡大断面図である。
【図５】  ＲＣ構造の下弦材と鋼部材からなる斜材との接合部を示し、（ａ），（ｂ）は図１（ａ）におけるハ部拡大断面図である。
【図６】  ＲＣ構造の下弦材と鋼部材からなる斜材との接合部を示し、（ａ），（ｂ）は図１（ａ）におけるハ部拡大断面図である。
【図７】  ＲＣ構造の下弦材と鋼部材からなる斜材との接合部を示し、図１（ａ）におけるハ部拡大断面図である。
【図８】  ＲＣ構造の下弦材と鋼部材からなる斜材との接合部を示し、（ａ），（ｂ），（ｃ）はそれぞれ図１（ａ）におけるハ部拡大断面図である。
【符号の説明】
１ 下弦材
１ａ 水勾配
１ｂ 溝状部
２ 斜材
２ａ 耐腐食性塗料
３ 定着部材
４ シール材
５ 弾性塗料
６ 水膨潤性のシール材
７ 水切り部材
７ａ 充填口
８ 充填材
９ 水切り部材
１０ 水切り部材
【図１】
0003960068.tif 000002
【図２】
0003960068.tif 000003
【図３】
0003960068.tif 000004
【図４】
0003960068.tif 000005
【図５】
0003960068.tif 000006
【図６】
0003960068.tif 000007
【図７】
0003960068.tif 000008
【図８】
0003960068.tif 000009